(57)【要約】【課題】冷蔵室冷却モード時に冷凍室用ファンを一定時間強制運転させて、冷蔵室側冷媒回路の冷媒循環量不足を防止するようにした冷蔵庫において、冷蔵室冷却モード時に発生しやすい冷媒流音を抑制する。【解決手段】冷凍室用蒸発器７と冷蔵室用冷却器５を備えた冷蔵庫において、冷凍室用蒸発器７を除霜した後の第一回目の冷蔵室冷却モード時に限っては、蒸発器温度センサー１７の温度が設定温度よりも高いことを検出した場合には冷凍室用ファン１１の強制運転を行わなわず、冷媒過剰による冷媒流音発生を防止する。【選択図】図１
2005127659.tif 000002
【特許請求の範囲】
【請求項１】
圧縮機と凝縮器と冷媒回路切替手段である三方弁と第一のキャピラリと冷蔵室用蒸発器と第二のキャピラリと冷凍室用蒸発器と冷媒循環量検出手段である蒸発器温度センサーと冷蔵室用ファンと冷凍室用ファンと冷蔵室と冷凍室とを備え、前記冷蔵室用蒸発器と前記冷凍室用蒸発器は前記圧縮機に対して並列に接続され、前記三方弁の切り替えにより前記冷蔵室用蒸発器と前記冷凍室用蒸発器とに冷媒を交互に流し、前記冷蔵室を冷却する冷蔵室冷却モードと前記冷凍室を冷却する冷凍室冷却モードとを交互に行うように構成され、かつ冷蔵室冷却モード時に前記冷凍室用ファンを一定時間強制運転させる制御装置を有する冷蔵庫において、前記冷凍室用蒸発器を除霜した後の前記圧縮機の再始動は冷凍室冷却モードから行い、その次の冷蔵室冷却モード時に限っては前記冷凍室用蒸発器に取り付けた前記蒸発器温度センサーが設定温度よりも高いことを検出すると前記冷凍室用ファンの強制運転を行わないことを特徴とした冷蔵庫。
【請求項２】
冷媒循環量検出手段である前記蒸発器温度センサーに、除霜終了検出手段を兼ね備えたことを特徴とする請求項１に記載の冷蔵庫。
【発明の詳細な説明】
【技術分野】
【０００１】
本発明は、冷蔵室と冷凍室を交互に独立して冷却する冷蔵庫の低騒音化に関するものである。
【背景技術】
【０００２】
近年、冷凍室と冷蔵室にそれぞれ蒸発器を備えた冷蔵庫が開発されている。（例えば、特許文献１参照）
以下、図面を参照しながら上記従来の冷蔵庫について説明する。
【０００３】
図４は、従来の冷却サイクル並びに冷蔵庫の概略図である。
【０００４】
圧縮機１と凝縮器２と三方弁３と第一のキャピラリ４と冷蔵室用蒸発器５と第二のキャピラリ６と冷凍室用蒸発器７とで冷媒回路を構成している。冷蔵室８内に配設された冷蔵室用蒸発器５と冷凍室９内に配設された冷凍室用蒸発器７は、圧縮機１に対して並列に接続されていて、各々の蒸発器の近傍には冷蔵室用ファン１０と冷凍室用ファン１１が配設されている。
【０００５】
以上のように構成された従来の冷蔵庫について、以下その動作を説明する。
【０００６】
圧縮機１が駆動された状態で、三方弁３により、圧縮機１から吐出される冷媒が冷蔵室用蒸発器５側に流れるように冷媒回路を切り替えた状態では、圧縮機１において圧縮された冷媒は、高温高圧ガスとなって凝縮器２に送られ、ここで放熱して液化される。液化された冷媒は、三方弁３により第一のキャピラリ４を通って冷蔵室用蒸発器５に送られ、ここで蒸発することに伴い周囲の熱を奪い、この結果周囲の空気を冷却する。ガス化した冷媒は圧縮機１において再び圧縮されるようになる。
【０００７】
このとき、冷蔵室用蒸発器５により冷却された冷気は冷蔵室用ファン１０の送風作用により冷蔵室８に供給され庫内が冷却される。このような冷却状態を冷蔵室冷却モードという。
【０００８】
また、圧縮機１が駆動された状態で、三方弁３により、圧縮機１から吐出される冷媒が冷凍室用蒸発器７側に流れるように冷媒回路を切り替えた状態では、圧縮機１において圧縮された冷媒は、高温高圧ガスとなって凝縮器２に送られ、ここで放熱して液化される。液化された冷媒は、三方弁３により第二のキャピラリ６を通って冷凍室用蒸発器７に送られ、ここで蒸発することに伴い周囲の熱を奪い、この結果周囲の空気を冷却する。ガス化した冷媒は圧縮機１において再び圧縮されるようになる。
【０００９】
このとき、冷凍室用蒸発器７により冷却された冷気は冷凍室用ファン１１の送風作用により冷凍室９に供給され庫内が冷却される。このような冷却状態を冷凍室冷却モードという。
【００１０】
また、冷蔵室８、冷凍室９には図示しないがそれぞれ庫内温度センサーが設けられていて、それら各温度センサーの検出信号はマイクロコンピューターを備えた制御回路に入力されるようになる。制御回路は、それらの検出信号と、予め備えた制御プログラムに従って、圧縮機１、三方弁３、冷蔵室用ファン１０、冷凍室用ファン１１などを制御している。
【００１１】
たとえば、冷蔵室８と冷凍室９の各庫内温度センサーが両方とも予め設定された温度以上を検出すると、冷蔵室冷却モードと冷凍室冷却モードとを交互に（たとえば３０分ずつ）繰り返しながら冷蔵室８と冷凍室９を冷却し、両方の庫内温度センサーが予め設定された温度以下を検出すると圧縮機１を停止させる。
【００１２】
その後、庫内温度の上昇に伴い、冷蔵室８もしくは冷凍室９のいずれかの庫内温度センサーが予め設定された温度以上を検出すると、再び圧縮機１を駆動して冷却を開始する。
【００１３】
なお、除霜後の圧縮機１の再始動については、除霜による冷凍室９の温度上昇を最小限に抑えるため、冷凍室冷却モードから開始するようになっている。
【００１４】
また、冷蔵室冷却モードを開始したときには、一時的に冷媒の流れを停止した冷媒回路側のファンすなわち冷凍室用ファン１１を一定時間（たとえば１０分間）強制的に運転させている。これは、冷凍室用蒸発器７内の残留冷媒の蒸発を促進させ、圧縮機１に冷媒を速やかに供給することにより、冷蔵室回路側の冷媒循環量不足を防止するはたらきがある。
【特許文献１】特開２００１−９１１３０号公報
【発明の開示】
【発明が解決しようとする課題】
【００１５】
しかしながら、上記従来の構成では、冷蔵室回路側の冷媒循環量不足を防止するために冷凍室用ファンを強制運転させていることが、場合によっては冷蔵室回路側の冷媒循環量過剰にまで至る可能性があった。
【００１６】
特に除霜後の第一回目の冷蔵室冷却モードにおいては、冷凍室用蒸発器内の残留冷媒が比較的少ない傾向にあり、すなわち冷蔵室回路側にすでに十分な冷媒が循環している状態にあるにもかかわらず、冷凍室用ファンの強制運転により、冷凍室回路側からさらに冷媒が供給されてしまい、冷蔵室回路側の冷媒過剰の状態になり、第一のキャピラリ４の出口で冷媒は気液混合の液成分が多いスラグ流となり、冷媒流音が発生し易いという欠点があった。
【００１７】
本発明は従来の課題を解決するもので、除霜後の第一回目の冷蔵室冷却モードにおいて、冷媒過剰に起因する冷媒流音の発生を防止し、低騒音化を図った冷蔵庫を提供することを目的とする。
【課題を解決するための手段】
【００１８】
本発明の冷蔵庫は、圧縮機と凝縮器と冷媒回路切替手段である三方弁と第一のキャピラリと冷蔵室用蒸発器と第二のキャピラリと冷凍室用蒸発器と冷媒循環量検出手段である蒸発器温度センサーと冷蔵室用ファンと冷凍室用ファンと冷蔵室と冷凍室とを備え、前記冷蔵室用蒸発器と前記冷凍室用蒸発器は前記圧縮機に対して並列に接続され、前記三方弁の切り替えにより前記冷蔵室用蒸発器と前記冷凍室用蒸発器とに冷媒を交互に流し、前記冷蔵室を冷却する冷蔵室冷却モードと前記冷凍室を冷却する冷凍室冷却モードとを交互に行うように構成され、かつ冷蔵室冷却モード時に前記冷凍室用ファンを一定時間強制運転させる制御装置を有する冷蔵庫において、前記冷凍室用蒸発器を除霜した後の前記圧縮機の再始動は冷凍室冷却モードから行い、かつその次の冷蔵室冷却モード時に限っては前記冷凍室用蒸発器に取り付けた前記蒸発器温度センサーが設定温度よりも高いことを検出すると前記冷凍室用ファンの強制運転を行わないことを特徴としたものであり、除霜後の冷媒循環量の適正化を図る。
【発明の効果】
【００１９】
以上説明したように本発明の冷蔵庫は、圧縮機と凝縮器と冷媒回路切替手段である三方弁と第一のキャピラリと冷蔵室用蒸発器と第二のキャピラリと冷凍室用蒸発器と冷媒循環量検出手段である蒸発器温度センサーと冷蔵室用ファンと冷凍室用ファンと冷蔵室と冷凍室とを備え、前記冷蔵室用蒸発器と前記冷凍室用蒸発器は前記圧縮機に対して並列に接続され、前記三方弁の切り替えにより前記冷蔵室用蒸発器と前記冷凍室用蒸発器とに冷媒を交互に流し、前記冷蔵室を冷却する冷蔵室冷却モードと前記冷凍室を冷却する冷凍室冷却モードとを交互に行うように構成され、かつ冷蔵室冷却モード時に前記冷凍室用ファンを一定時間強制運転させる制御装置を有する冷蔵庫において、前記冷凍室用蒸発器を除霜した後の前記圧縮機の再始動は冷凍室冷却モードから行い、かつその次の冷蔵室冷却モード時に限っては前記冷凍室用蒸発器に取り付けた前記蒸発器温度センサーが設定温度よりも高いことを検出すると前記冷凍室用ファンの強制運転を行わないことにより、除霜後の第一回目の冷蔵室冷却モードにおいて、冷媒過剰に起因する冷媒流音の発生を防止し、冷蔵庫の低騒音化を図ることができる。
【発明を実施するための最良の形態】
【００２０】
本発明の請求項１に記載の発明は、圧縮機と凝縮器と冷媒回路切替手段である三方弁と第一のキャピラリと冷蔵室用蒸発器と第二のキャピラリと冷凍室用蒸発器と冷媒循環量検出手段である蒸発器温度センサーと冷蔵室用ファンと冷凍室用ファンと冷蔵室と冷凍室とを備え、前記冷蔵室用蒸発器と前記冷凍室用蒸発器は前記圧縮機に対して並列に接続され、前記三方弁の切り替えにより前記冷蔵室用蒸発器と前記冷凍室用蒸発器とに冷媒を交互に流し、前記冷蔵室を冷却する冷蔵室冷却モードと前記冷凍室を冷却する冷凍室冷却モードとを交互に行うように構成され、かつ冷蔵室冷却モード時に前記冷凍室用ファンを一定時間強制運転させる制御装置を有する冷蔵庫において、前記冷凍室用蒸発器を除霜した後の前記圧縮機の再始動は冷凍室冷却モードから行い、かつその次の冷蔵室冷却モード時に限っては前記冷凍室用蒸発器に取り付けた前記蒸発器温度センサーが設定温度よりも高いことを検出すると前記冷凍室用ファンの強制運転を行わないことを特徴としたものであり、除霜後の冷媒循環量の適正化を図る。
【００２１】
請求項２に記載の発明は、請求項１に記載の発明において、前記蒸発器温度センサーに、除霜終了検出手段を兼ね備えたことを特徴としたものであり、新たに部品を追加することなく、除霜後の冷媒循環量の適正化を図る。
【００２２】
以下、本発明による冷蔵庫の実施の形態について、図面を参照しながら説明する。なお、従来と同一構成については、同一符号を付して詳細な説明を省略する。
【００２３】
（実施の形態１）
図１は本発明の実施の形態１による冷蔵庫の断面図であり、図２は同実施の形態の冷蔵庫のタイムチャートである。
【００２４】
冷蔵庫の上方部に比較的高温（約４℃）の区画である冷蔵室８を、下方部に比較的低温（約−１８℃）の冷凍室９を配置しており、例えばウレタンのような断熱材で周囲と断熱して構成している。
【００２５】
冷媒回路は、圧縮機１と凝縮器２と三方弁３と第一のキャピラリ４と冷蔵室用蒸発器５と第一のサクションライン１２を順次接続して冷蔵室側冷媒回路を構成している。そして、三方弁３を分岐点として、圧縮機１と凝縮器２と三方弁３と第二のキャピラリ６と冷凍室用蒸発器７と第二のサクションライン１３と逆止弁１４とを接続して冷凍室側冷媒回路を構成している。
【００２６】
冷蔵室８内の奥面には冷蔵室用蒸発器５が配設されており、その近傍には冷蔵室８の区
画内空気を循環させる冷蔵室用ファン１０が設けてある。また、冷凍室９内の奥面には冷凍室用蒸発器７が配設されており、その近傍には冷凍室９の区画内空気を循環させる冷凍室用ファン１１が設けてある。
【００２７】
さらに、この冷凍室用蒸発器７の下方には除霜ヒータ１５、上方には除霜終了を検出するための除霜温度センサー１６、上方の出口配管には冷媒循環量検出手段である蒸発器温度センサー１７が設けてある。
【００２８】
また、冷蔵室８と冷凍室９には区画内温度を検出するための冷蔵室温度センサー１８と冷凍室温度センサー１９が設けてあり、これら各温度センサーからの検出信号はマイクロコンピューターを備えた制御回路２０に入力され、圧縮機１と三方弁３と冷蔵室用ファン１０と冷凍室用ファン１１と除霜ヒータ１５などを制御するようになっている。
【００２９】
次に、除霜時と除霜後の冷凍室９と冷蔵室８の冷却タイミングについて図２のタイムチャートを元に説明する。
【００３０】
制御回路２０から除霜開始の信号を受けると、圧縮機１、冷蔵室用ファン１０、冷凍室用ファン１１を停止し、三方弁３を全閉にするとともに除霜ヒータ１５の通電を行い、冷凍室用蒸発器７の除霜を開始する。（Ｔ１）
除霜中に除霜温度センサー１６が予め設定された温度（t３Ｈ）を検出すると、除霜ヒータ１５の通電を停止し除霜を終了する。（Ｔ２）
除霜終了後、圧縮機１と冷凍室用ファン１１を作動し、三方弁３を冷凍室用蒸発器７側に開放し冷凍室９の冷却を開始する。（Ｔ２）
冷凍室９の冷却中に冷凍室温度センサー１９が予め設定された温度（ｔ２Ｌ）以下かつ冷蔵室温度センサー１８が予め設定された温度（ｔ１Ｈ）以上を検出すると、制御回路２０はこの信号を受けて冷蔵室用ファン１０を作動し、三方弁３を冷蔵室用蒸発器５側に開放し、冷蔵室８の冷却を開始する。（Ｔ３）
このとき、冷凍室用ファン１１については、蒸発器温度センサー１７が予め設定された温度（ｔ４Ｌ）以下の温度を検出すると、制御回路２０はこの信号を受け、従来と同様に冷凍室用ファン１１を一定時間（ＴＦＡＮ）強制運転する。冷凍室用蒸発器７の出口温度が低いということは、冷凍室用蒸発器７内に多くの残留冷媒が存在していることになり、これを冷凍室用ファン１０により蒸発促進させて、圧縮機１に速やかに冷媒を供給することができる。
【００３１】
逆に、蒸発器温度センサー１７が予め設定された温度（ｔ４Ｌ）以上の温度を検出すると、制御回路２０はこの信号を受け、冷凍室用ファン１１の強制運転は行わない。冷凍室用蒸発器７の出口温度が高いということは、冷凍室用蒸発器７内に存在している残留冷媒は少ないということになり、冷凍室用ファン１１による蒸発促進を行う必要がなく、冷蔵室回路側の冷媒過剰になるのを防止することができる。
【００３２】
以上のように本実施の形態の冷蔵庫は、冷凍室用蒸発器７内の残留冷媒量を蒸発器温度センサー１７により検出してから、冷凍室用ファン１０の運転・停止を制御するので、除霜後の冷蔵室冷媒回路内の冷媒循環量を適正に保つことができ、よって効率よく冷蔵室を冷却できると共に、過剰冷媒によるスラグ流に起因する冷媒流音の発生を防止することができる。
【００３３】
（実施の形態２）
図３は本発明の実施の形態２による冷蔵庫の断面図である。
【００３４】
冷媒循環量検出手段である蒸発器温度センサー１７と除霜終了を検出するため除霜温度
センサー１６とが一つの部品に集約されたことだけが、前述の実施の形態１と唯一異なる部分である。作用については、前述の実施の形態１と同じであるため省略する。
【００３５】
以上のように本実施の形態の冷蔵庫は、蒸発器温度センサー１７に、除霜終了検出手段を兼ね備えたので、新たに部品を追加する必要はなく、容易にかつ安価に除霜後の冷蔵室冷媒回路内の冷媒循環量を適正に保つことができ、過剰冷媒によるスラグ流に起因する冷媒流音の発生を防止することができる。
【産業上の利用可能性】
【００３６】
以上のように本発明にかかる冷蔵庫は、除霜後の第一回目の冷蔵室冷却モードにおいて、冷媒過剰に起因する冷媒流音の発生を防止し、冷蔵庫の低騒音化を図ることができるので、同様の冷凍サイクルを備えた冷却機器に適用することができる。
【図面の簡単な説明】
【００３７】
【図１】本発明の実施の形態１の冷蔵庫の断面図
【図２】同実施の形態の冷蔵庫のタイムチャート
【図３】本発明の実施の形態２の冷蔵庫の断面図
【図４】従来の冷蔵庫の断面図
【符号の説明】
【００３８】
１    圧縮機
２    凝縮器
３    三方弁
４    第一のキャピラリ
５    冷蔵室用蒸発器
６    第二のキャピラリ
７    冷凍室用蒸発器
８    冷蔵室
９    冷凍室
１０    冷蔵室用ファン
１１    冷凍室用ファン
１６    除霜温度センサー
【図１】
2005127659.tif 000003
【図２】
2005127659.tif 000004
【図３】
2005127659.tif 000005
【図４】
2005127659.tif 000006